(57)【特許請求の範囲】
【請求項１】
無端環状に形成されて金属製ガイドローラに支持され、前記金属製ガイドローラの回転を伴って搬送方向へ送り出されるコンベアベルトであって、
搬送方向へと送り出されて前記金属製ガイドローラを通過する際に、前記金属製ガイドローラの磁気を検出する磁気検出手段を有するコンベアベルト。
【請求項２】
前記磁気検出手段は、磁気インピーダンス（Ｍａｇｎｅｔｏ−Ｉｍｐｅｄａｎｃｅ）センサ或いはホールセンサである請求項１に記載のコンベアベルト。
【請求項３】
前記金属製ガイドローラに反応して前記金属製ガイドローラを検出する金属検出手段を有する請求項１または２に記載のコンベアベルト。
【請求項４】
前記磁気検出手段及び前記金属検出手段は、前記金属製ガイドローラとの対向面側に埋設状態に配置されている請求項３に記載のコンベアベルト。
【請求項５】
前記磁気検出手段及び前記金属検出手段は、ベルト幅方向に並んで配置されている請求項３または４に記載のコンベアベルト。
【請求項６】
請求項１または２に記載のコンベアベルトと、
前記コンベアベルトを支持して、前記コンベアベルトの搬送方向への送り出しに伴って回転する、搬送方向に沿って複数列配置された前記金属製ガイドローラと
を有するベルトコンベア装置。
【請求項７】
前記金属製ガイドローラが各列毎に複数本並列に配置されてトラフ型キャリアを構成し、
前記磁気検出手段は、前記金属製ガイドローラのそれぞれに対応して一個ずつ設けられている請求項６に記載のベルトコンベア装置。
【請求項８】
請求項３から５のいずれか一項に記載のコンベアベルトと、
前記コンベアベルトを支持して、前記コンベアベルトの搬送方向への送り出しに伴って回転する、搬送方向に沿って複数列配置された前記金属製ガイドローラと
を有するベルトコンベア装置。
【請求項９】
前記金属製ガイドローラが各列毎に複数本並列に配置されてトラフ型キャリアを構成し、
前記磁気検出手段は、前記金属製ガイドローラのそれぞれに対応して一個ずつ、前記金属検出手段は、前記金属製ガイドローラの列に対応して列毎に少なくとも１個、設けられている請求項８に記載のベルトコンベア装置。
【発明の詳細な説明】
【技術分野】
【０００１】
この発明は、コンベアベルト及びベルトコンベア装置に関し、特に、コンベアベルトを支持し回転する複数のローラに回転不良のローラが発生した場合に、回転不良のローラを特定することができるコンベアベルト及びベルトコンベア装置に関する。
【背景技術】
【０００２】
従来、無端環状のコンベアベルトを支持して回転しコンベアベルトを所定方向に送り出す複数のローラにおいて、回転不良のローラが発生した場合、回転不良が生じたローラを特定するための検出装置が知られている。このような検出装置として、例えば、「コンベアベルトのモニタリング装置」（特許文献１参照）がある。
この「コンベアベルトのモニタリング装置」は、ローラと接触するコンベアベルトの下面に取り付けた、センサを搭載した小型検出ユニットにより、コンベアベルト走行時に回転不良が生じたローラを検知するものである。
【０００３】
小型検出ユニットは、コンベアベルトの物理的性状を検出するセンサ（検出手段）をメモリ等と共に一つのセットとして、コンベアベルトに埋設或いは貼り付けられており、センサが検出したデータに基づきコンベアベルトの物理的性状の変化を経時的に検出して、適時に適所でコンベアベルトのモニタリングをしている。
【０００４】
ところで、ベルトコンベア装置では、コンベアの長さ（機長）が長くなるほど、コンベアベルトを案内するガイドローラの数が多くなる。例えば、機長が１０ｋｍ、ローラ間隔が１ｍで、３本トラフ型の場合、ガイドローラの総数は３万本にもなる。このため、ガイドローラが正常に機能していることを確認するために、ベルトコンベア装置の設置場所に出かけて目視や触診等により直接点検することは、多大な労力と時間を必要とし、非常に困難な作業となる。
【０００５】
従って、「コンベアベルトのモニタリング装置」により、目視や触診等によらずに回転不良のローラを特定することができるのは、ベルトコンベア装置を用いた作業環境において、効率的、且つ、経済的に大きな利点をもたらす。
【先行技術文献】
【特許文献】
【０００６】
【特許文献１】特開２００８−１７９４４７号公報
【発明の概要】
【発明が解決しようとする課題】
【０００７】
しかしながら、従来の「コンベアベルトのモニタリング装置」において検出データを得るためには、センサとガイドローラの接触が必須であった。つまり、走行中のコンベアベルトが、例えば、上下にうねったとき等、センサとガイドローラが接触しない場合、接触しないガイドローラについて検出データを得ることができないので、ガイドローラに番号を付しても飛ばしてカウントしてしまう虞があった。
【０００８】
このため、センサ（検出手段）とガイドローラが接触しない場合、接触しないガイドローラについて検出データを得ることができないので、センサが接触していないのか或いはローラに回転不良が生じているのかの判断ができなかった。
この発明の目的は、検出手段とガイドローラが接触しない場合でも接触しないガイドローラについて検出データを得ることができ、得られた検出データに基づき、回転不良の金属製ガイドローラを検知することができるコンベアベルト及びベルトコンベア装置を提供することである。
【課題を解決するための手段】
【０００９】
上記目的を達成するため、この発明に係るコンベアベルトは、無端環状に形成されて金属製ガイドローラに支持され、前記金属製ガイドローラの回転を伴って搬送方向へ送り出されるコンベアベルトであって、搬送方向へと送り出されて前記金属製ガイドローラを通過する際に、前記金属製ガイドローラの磁気を検出する磁気検出手段を有している。
また、この発明の他の態様に係るコンベアベルトは、前記磁気検出手段が、磁気インピーダンス（Ｍａｇｎｅｔｏ−Ｉｍｐｅｄａｎｃｅ）センサ或いはホールセンサである。
【００１０】
また、この発明の他の態様に係るコンベアベルトは、前記金属製ガイドローラに反応して前記金属製ガイドローラを検出する金属検出手段を有している。
また、この発明の他の態様に係るコンベアベルトは、前記磁気検出手段及び前記金属検出手段が、前記金属製ガイドローラとの対向面側に埋設状態に配置されている。
また、この発明の他の態様に係るコンベアベルトは、前記磁気検出手段及び前記金属検出手段が、ベルト幅方向に並んで配置されている。
【００１１】
また、この発明に係るベルトコンベア装置は、この発明に係るコンベアベルトと、前記コンベアベルトを支持して、前記コンベアベルトの搬送方向への送り出しに伴って回転する、搬送方向に沿って複数列配置された前記金属製ガイドローラとを有している。
また、この発明の他の態様に係るベルトコンベア装置は、前記金属製ガイドローラが各列毎に複数本並列に配置されてトラフ型キャリアを構成し、前記磁気検出手段が、前記金属製ガイドローラのそれぞれに対応して一個ずつ設けられている。
【００１２】
また、この発明の他の態様に係るベルトコンベア装置は、前記金属製ガイドローラが各列毎に複数本並列に配置されてトラフ型キャリアを構成し、前記磁気検出手段が、前記金属製ガイドローラのそれぞれに対応して一個ずつ、前記金属検出手段が、前記金属製ガイドローラの列に対応して列毎に少なくとも１個、設けられている。
【発明の効果】
【００１３】
この発明に係るコンベアベルトによれば、無端環状に形成されて金属製ガイドローラに支持されており、金属製ガイドローラの回転を伴って搬送方向へ送り出され金属製ガイドローラを通過する際に、コンベアベルトに設けられた磁気検出手段が金属製ガイドローラの磁気を検出するので、磁気検出手段と金属製ガイドローラが接触しない場合でも接触しない金属製ガイドローラについて検出データ（磁気データ）を得ることができ、得られた検出データに基づき、回転不良の金属製ガイドローラを検知することができる。
【００１４】
また、この発明の他の態様に係るコンベアベルトによれば、磁気検出手段が、磁気インピーダンス（Ｍａｇｎｅｔｏ−Ｉｍｐｅｄａｎｃｅ）センサ或いはホールセンサであるので、金属製ガイドローラの微弱な磁気でも測定することができる。
また、この発明の他の態様に係るコンベアベルトによれば、磁気検出手段に加え、金属製ガイドローラに反応して金属製ガイドローラを検出する金属検出手段を有しているので、金属検出手段により存在が確認された金属製ガイドローラに対する磁気検出が行われ、回転不良の金属製ガイドローラを確実に検知することができる。
【００１５】
また、この発明の他の態様に係るコンベアベルトによれば、磁気検出手段及び金属検出手段は、コンベアベルトの金属製ガイドローラとの対向面側に埋設状態に配置されているので、搬送方向へ送り出されるベルト走行中に衝撃等が生じた場合でも、その衝撃等から両検出手段を保護することができる。
また、この発明の他の態様に係るコンベアベルトによれば、磁気検出手段及び金属検出手段が、ベルト幅方向に並んで配置されているので、両検出手段の検出タイミングが一致し、磁気検出と同時に正常に回転している金属製ガイドローラと正常に回転していない回転不良の金属製ガイドローラの判別ができる。
【００１６】
また、この発明に係るベルトコンベア装置によれば、この発明に係るコンベアベルトに設けられた磁気検出手段が、このコンベアベルトを支持してコンベアベルトの搬送方向への送り出しに伴って回転する、搬送方向に沿って複数列配置された金属製ガイドローラの磁気を検出するので、磁気検出手段と金属製ガイドローラが接触しない場合でも接触しない金属製ガイドローラについて検出データ（磁気データ）を得ることができ、得られた検出データに基づき、回転不良の金属製ガイドローラを検知することができる。
【００１７】
また、この発明に係るベルトコンベア装置が、金属製ガイドローラが各列毎に複数本並列に配置されてトラフ型キャリアを構成し、磁気検出手段が、金属製ガイドローラのそれぞれに対応して一個ずつ設けられているものであっても、磁気検出手段と金属製ガイドローラが接触しない場合でも接触しない金属製ガイドローラについて検出データ（磁気データ）を得ることができ、得られた検出データに基づき、回転不良の金属製ガイドローラを検知することができる。
【００１８】
また、この発明の他の態様に係るベルトコンベア装置が、金属製ガイドローラが各列毎に複数本並列に配置されてトラフ型キャリアを構成し、磁気検出手段が、金属製ガイドローラのそれぞれに対応して一個ずつ、金属検出手段は、金属製ガイドローラの列に対応して列毎に少なくとも１個、設けられているものであっても、磁気検出手段と金属製ガイドローラが接触しない場合でも接触しない金属製ガイドローラについて検出データ（磁気データ）を得ることができ、得られた検出データに基づき、回転不良の金属製ガイドローラを検知することができる。
【図面の簡単な説明】
【００１９】
【図１】この発明の一実施の形態に係るベルトコンベア装置の構成を示す、搬送方向に交差する断面による説明図である。
【図２】図１のコンベアベルトをローラ側から見た平面によるセンサ設置部の説明図である。
【図３】磁気センサと金属センサの他の設置状態を示し、（ａ）は、コンベアベルト搬送方向に交差する断面による説明図、（ｂ）は、コンベアベルトをローラ側から見た平面説明図である。
【図４】磁化されたガイドローラにおける磁気分布をグラフで示す説明図である。
【図５】ガイドローラの停止時と回転時におけるＭＩセンサの出力分布をグラフで示す説明図である。
【図６】センサ出力に基づく正常回転ローラと回転不良ローラの判別についての説明図である。
【図７】磁気センサと金属センサを併用した場合のセンサ出力を示す説明図である。
【発明を実施するための形態】
【００２０】
以下、この発明を実施するための形態について図面を参照して説明する。
図１は、この発明の一実施の形態に係るベルトコンベア装置の構成を示す、搬送方向に交差する断面による説明図である。図２は、図１のコンベアベルトをローラ側から見た平面によるセンサ設置部の説明図である。
図１に示すように、ベルトコンベア装置１０は、フレーム１１に取り付けられた複数のガイドローラ（キャリアローラ）１２、及びガイドローラ１２に支持されガイドローラ１２の回転に伴って搬送方向へ送り出されるコンベアベルト１３を有しており、搬送始端部においてコンベアベルト１３上に投入された搬送物Ｗを、コンベアベルト１３の搬送面（キャリア）１３ａに載置して搬送終端部まで搬送する。
【００２１】
ガイドローラ１２は、フレーム１１の上部長手方向、即ち、ベルト搬送方向に沿った一定間隔で複数列配置されており、各列毎に複数本、搬送方向と略直交するベルト幅方向に一列に並び、且つ、両側のローラが外側上向きに配置されて、搬送方向において樋形状になるように、コンベアベルト１３をベルト裏面（搬送面１３ａとは反対側の面）側から支持するトラフ型キャリア（例えば、ガイドローラ１２が３本の場合、３本トラフ型キャリア）を構成している。
【００２２】
このガイドローラ１２は、金属製部材により形成された金属製ガイドローラであって、フレーム１１の上部に突設されたブラケット１１ａに、軸回転自在に軸支されており、コンベアベルト１３の搬送面１３ａの搬送方向への移動に伴って回転する。なお、フレーム１１の下部には、搬送方向の逆方向に走行するコンベアベルト１３の復路側を案内する、多数のリタンローラ（図示しない）が軸回転自在に設置されている。
【００２３】
図１及び図２に示すように、コンベアベルト１３は、例えば、天然ゴム（Ｎａｔｕｒａｌ  Ｒｕｂｂｅｒ：ＮＲ）等の弾性材料により無端環状に形成されて、ベルト内部に芯体１３ｂ（例えば、スチールコード等の補強部材）が埋め込まれており、フレーム１１の長手方向両端部に設けられた駆動プーリと従動プーリ（図示しない）に掛け回されている。
このコンベアベルト１３の裏面側、即ち、ガイドローラ１２側には、磁気センサ（磁気検出手段）１４と金属センサ（金属検出手段）１５が設置されており、更に、これら磁気センサ１４と金属センサ１５を、各センサ１４，１５から引き出された信号ケーブル１６と共に覆って、層状に外装材１７が装着されている。信号ケーブル１６は、コンベアベルト１３の一方の側端に設置されたコネクタ１８に接続される。
【００２４】
磁気センサ１４は、例えば、磁気インピーダンス効果（Ｍａｇｎｅｔｏ−Ｉｍｐｅｄａｎｃｅ  Ｅｆｆｅｃｔ：ＭＩ）を応用した磁気インピーダンス（ＭＩ）センサや、ホール効果と呼ばれる特性を使用したホールセンサが用いられ、コンベアベルト１３が搬送方向へと送り出されてガイドローラ１２を通過する際に、ガイドローラ１２に帯磁された地磁気レベルの微弱な磁気を検出することができるように、ガイドローラ１２に近接配置されている。検出能力としては、少なくとも０．１ガウスレベルの磁力が検出できればよい。
【００２５】
金属センサ１５は、金属部材であるガイドローラ１２に反応してガイドローラ１２が存在することを検出するものであり、検出対象となるガイドローラ１２以外の金属部材に反応する（検出する）のを避けるため、検出距離が５０ｍｍ程度の至近距離で反応するタイプが望ましい。
【００２６】
これら磁気センサ１４と金属センサ１５は、ベルト幅方向に一列に並んで配置された、複数本（例えば、３本）のガイドローラ１２のそれぞれに対応して一組ずつ、即ち、ベルト幅方向に並んで複数組（例えば、３組）が配置されている。なお、磁気センサ１４は、各ガイドローラ１２の磁気を検出するため、配置されたガイドローラ１２のそれぞれに対応して、即ち、３本トラフ型キャリアの場合、ローラ設置列毎に３個設ける必要があるが、金属センサ１５は、ガイドローラ１２が設置されていることの確認、即ち、ガイドローラ１２列についての存在確認（位置確認）ができればよいので、ガイドローラ１２列に対応してローラ設置列毎に少なくとも１個設ければよい。
【００２７】
これら磁気センサ１４と金属センサ１５は、必ずしもベルト幅方向に並んで配置されていなくても良く、コンベアベルト１３の搬送方向への移動中に、搬送方向に隣接する各ガイドローラ１２について検出することができるならば、搬送方向に沿って配置しても良い。また、金属センサ１５は、複数個（例えば、３個）のガイドローラ１２のそれぞれに対応して複数個（例えば、３個）設けても良く、この場合、複数個（例えば、３個）それぞれについての存在確認ができる。
【００２８】
磁気センサ１４と金属センサ１５は、コンベアベルト１３の裏面側に、例えば、接着剤等で貼り付けられており、その上に、ベルト幅方向略全域を長辺とする長方形状の外装材１７を装着することで、コンベアベルト１３のガイドローラ１２対向面側に埋設状態に配置されている。これにより、磁気センサ１４と金属センサ１５が設置されたコンベアベルト１３の裏面側は、ベルト走行中、ガイドローラ１２に接触するが、磁気センサ１４と金属センサ１５は外装材１７に覆われておりガイドローラ１２に直接触れることがないので、搬送中に衝撃等が生じたとしてもその衝撃から両センサ１４，１５を保護することができる。外装材１７としては、シリコン等の防水性の被覆材を用いることが望ましい。
【００２９】
これら磁気センサ１４と金属センサ１５は、外装材１７に覆われてコンベアベルト１３に設置されているが、外装材１７で覆うことなくコンベアベルト１３に直接埋め込んで設置しても良い。
図３は、磁気センサと金属センサの他の設置状態を示し、（ａ）は、コンベアベルト搬送方向に交差する断面による説明図、（ｂ）は、コンベアベルトをローラ側から見た平面説明図である。
【００３０】
図３に示すように、磁気センサ１４と金属センサ１５は、コンベアベルト１３のガイドローラ１２対向面側の表層部を構成するカバーゴム部に、各センサ１４，１５から引き出された信号ケーブル１６と共に、直接埋め込んで設置されており、コンベアベルト１３のガイドローラ１２との対向面側に埋設状態に配置される。その他の構成及び作用は、上述したコンベアベルト１３の裏面側に貼り付けて外装材１７により覆った場合と同様である。
【００３１】
また、コンベアベルト１３のベルト幅方向の一方の側端部には、コネクタ１８に隣接して、コネクタ１８が接続される判定ユニット１９が備えられている。判定ユニット１９は、ＣＰＵ（Ｃｅｎｔｒａｌ  Ｐｒｏｃｅｓｓｉｎｇ  Ｕｎｉｔ）やメモリ、バッテリ等、磁気センサ１４と金属センサ１５からのセンサ出力値の入力に伴う判定処理に必要な各種機能部品をユニット化して、形成されている。
【００３２】
次に、ベルトコンベア装置１０による回転不良ガイドローラの検出について説明する。
ガイドローラ１２は、金属製ガイドローラであることから、地磁気により常に微弱に磁化されており、回転していない静的状態で一定の磁気分布を有している。そこで、ガイドローラ１２外表面に接触（距離略０ｍｍ）させた磁束密度計（ガウスメータ）により、磁気測定を行った。
【００３３】
図４は、磁化されたガイドローラにおける磁気分布をグラフで示す説明図である。ここで、縦軸は磁力（Ｔ）、横軸はガイドローラの周方向一周分の位置を示す。ベルトコンベア装置１０のガイドローラ１２の内、回転していない静的な状態の任意の２個（ＡローラとＢローラ）についてそれぞれ２回、ガイドローラ１２の周方向一周を略等間隔で区切った１８箇所の磁力を計測した。その結果、図４に示すように、Ａローラにおいては、略０．５×１０−４Ｔ〜−１．０×１０−４Ｔの範囲（ａ１，ａ２参照）、Ｂローラにおいては、略１．０×１０−４Ｔ〜−１．０×１０−４Ｔの範囲（ｂ１，ｂ２参照）の磁力分布が得られた。
【００３４】
そこで、地磁気レベルの微弱な磁気を検出することができる磁気インピーダンス（ＭＩ）センサを、ガイドローラ１２に近接配置し、コンベアベルト１３を搬送方向へ走行させてガイドローラ１２を回転させると、ガイドローラ１２の回転に対応した周期的な波形を得ることができた。磁気の検出に際しては、図４において測定対象であったＡローラとＢローラについて、センサ・ローラ間距離を１３ｍｍとし、それぞれ停止時と回転時（ベルト速度：１００ｍ／ｍｉｎ）のセンサ出力を測定した。
【００３５】
図５は、ガイドローラの停止時と回転時におけるＭＩセンサの出力分布をグラフで示す説明図である。ここで、縦軸はセンサ出力（Ｖ）、横軸は時間（ｓ）を示す。図５に示すように、センサ出力について、ローラ停止時は殆ど変化無く略一定値で推移し（ａ１，ｂ１参照）、ローラ回転時はそれぞれ周期的に大きな変化を示す（ａ２，ｂ２参照）出力分布が得られた。因みに、ローラ回転時におけるセンサ出力の最大変化幅は、Ａローラが約０．１７（Ｖ）とＢローラが約０．３（Ｖ）である。
【００３６】
この結果から、磁気センサ１４を搭載したコンベアベルト１３を搬送方向に走行させると、コンベアベルト１３の走行に伴って回転しているガイドローラ１２からは周期的に大きく変化するセンサ出力が得られるが、回転していないガイドローラ１２（回転不良ローラ）からは周期的に変化するセンサ出力が得られないので、回転不良ローラの出力値を越える閾値を設定し、この閾値に基づきセンサ出力が得られるか否かを検出することで、回転していないガイドローラ（回転不良ローラ）の有無を判別することができる。
【００３７】
このとき、磁気センサ１４は、走行中のコンベアベルト１３が、例えば、上下にうねったとき等、ガイドローラ１２に接触しない場合でも、磁気を検出して検出データを得ることができるので、ガイドローラ１２が正常回転しているか或いは回転していない回転不良状態にあるかを確実に判定することができる。
図６は、センサ出力に基づく正常回転ローラと回転不良ローラの判別についての説明図である。図６に示すように、ベルト走行時間の経過に伴ってセンサ出力が得られるか否かを検出し、センサ出力が得られた場合、コンベアベルト１３の走行に伴って正常に回転しているガイドローラ（正常ローラ）であると判定し、一方、センサ出力が得られない場合、正常に回転していないガイドローラ（回転不良ローラ）であると判定する。
【００３８】
このとき、センサ出力が得られるか否かのみの判定では、センサ出力が得られない場合、ガイドローラ１２が存在していなければ当然センサ出力が得られないので、ガイドローラ１２が回転していないからセンサ出力が得られないのか、或いはガイドローラ１２が存在していないからセンサ出力が得られないのか、区別することができない。
そこで、磁気センサ１４のみではなく、ガイドローラ１２を検出する金属センサ１５を併用することにより、ガイドローラ１２の存在を検知しその存在を確認した上で、磁気センサ１４のセンサ出力に基づく正常回転ローラと回転不良ローラの判別を行う。
【００３９】
図７は、磁気センサと金属センサを併用した場合のセンサ出力を示す説明図である。図７に示すように、センサ出力時間を一致させて、ベルト走行時間の経過に伴う、ガイドローラ１２が帯びている微弱な磁気を検出する磁気センサ１４の出力と金属製のガイドローラ１２の存在を検出する金属センサ１５の出力を、確認する。
つまり、磁気センサ１４と金属センサ１５の両方から出力が得られれば、ガイドローラ１２は正常に回転している（正常ローラ）と判定し、金属センサ１５からの出力は得られるが磁気センサ１４からの出力が得られなければ、ガイドローラ１２は正常に回転していない回転不良であると判定する。
【００４０】
この結果、より確実に回転不良ローラを検出することができ、その上、回転不良ローラの検出に際しては、金属製のガイドローラ１２それ自身が固有に持っている磁気を検出するので、ガイドローラ１２に対し、磁気を検出するための如何なる加工・処理もする必要が無く、回転不良を検出することができる。
また、回転不良ローラの検出の際、一対の磁気センサ１４と金属センサ１５をベルト幅方向に一列に並んで配置することにより、両センサ１４，１５の検出タイミングが一致するので、センサ検出と同時に、即ち、両センサ１４，１５間のズレが無く瞬時に、正常回転ローラと回転不良ローラの判別ができる。
【００４１】
センサ検出に基づく正常回転ローラと回転不良ローラの判別結果は、判定ユニット１９に入力され、判定ユニット１９において、例えば、判定結果に基づく回転不良ローラの特定データの作成・蓄積や、送信手段による特定した回転不良ローラに関するデータの指定場所への送信等が行われる。
例えば、この判定ユニット１９により、磁気センサ１４と金属センサ１５が検出した、コンベアベルト１３の走行に伴って変化する検出データをメモリに記憶し、このメモリに記憶されている検出データを、タイマ及びコンベアベルト１３の走行状況を検出するエンコーダ等の各データと組み合わせることにより、回転不良のガイドローラ１２が発生したとき、そのコンベアライン上の位置と発生時間とを割り出すことができる。
【００４２】
なお、コンベアベルト１３の走行速度とガイドローラ１２の配置間隔により得られた所定時間毎に、センサ出力の有無を検出することで、ガイドローラ１２が存在する位置でのセンサ出力の検出が可能になるので、金属センサ１５を設けない場合でも、ガイドローラ１２が正常に回転しているか否かを判定することができる。
【産業上の利用可能性】
【００４３】
この発明によれば、常時、磁気を帯びた状態にある金属製ローラの磁気を検出することにより得られた波形情報に基づき、回転不良のローラを検知することができる磁気検出手段に加え、金属製ガイドローラに反応して金属製ガイドローラを検出する金属検出手段を有しているので、金属検出手段により存在が確認された金属製ガイドローラに対する磁気検出が行われ、コンベアベルトを支持してコンベアベルトの搬送方向への移動に伴って回転する複数のガイドローラの中から回転不良のローラを確実に検知することができるため、コンベアベルト及びベルトコンベア装置に最適である。
【符号の説明】
【００４４】
１０  ベルトコンベア装置
１１  フレーム
１１ａ  ブラケット
１２  ガイドローラ
１３  コンベアベルト
１３ａ  搬送面
１３ｂ  芯体
１４  磁気センサ
１５  金属センサ
１６  信号ケーブル
１７  外装材
１８  コネクタ
１９  判定ユニット
Ｗ  搬送物
【図１】
0005503224.tif 000002
【図２】
0005503224.tif 000003
【図３】
0005503224.tif 000004
【図４】
0005503224.tif 000005
【図５】
0005503224.tif 000006
【図６】
0005503224.tif 000007
【図７】
0005503224.tif 000008